(57)【要約】【課題】既存の照明器具に後付けで容易に取り付け可能で、かつ、器具本体の共回りを防ぐとともに天井クロスの変色を抑えることができる照明器具を提供する。【解決手段】照明器具１０は、天井１２に取り付けられるとともに光源１６が設けられた器具本体１４と、光源を覆うために天井に対して並行に回転することで器具本体に取り付けられた光源カバー１８と、器具本体の天井に対向する面１５のうち器具本体の外周２５寄りの取付箇所２６に設けられた弾性変形可能な弾性手段２０と、弾性手段の上部  に設けられ、天井に当接して器具本体の回転を防止する上突起部２２と備えている。【選択図】図３
2010097814.tif 000002
【特許請求の範囲】
【請求項１】
天井に取り付ける天井取付型の照明器具において、
前記天井に取り付けられるとともに前記天井の反対側に光源が設けられた器具本体と、
前記光源を覆うために前記天井に対して並行に回転することで前記器具本体に取り付けられたカバーと、
前記器具本体の前記天井に対向する面のうち、前記器具本体の外周寄りの取付箇所に設けられた弾性変形可能な弾性手段と、
前記弾性手段の上部に設けられ、前記天井に当接して前記器具本体の回転を防止する上突起部と備えたことを特徴とする照明器具。
【請求項２】
前記上突起部は、前記天井に向けて先細状となるように円錐状に形成されたことを特徴とする請求項１記載の照明器具。
【請求項３】
前記弾性手段は、
前記取付箇所に設けられた弾性変形可能な弾性部材と、
前記弾性部材の上部に設けられた箱状部材と、を備え、
前記箱状部材は、
前記弾性部材の上部に設けられるとともに、前記天井に対向する上面に前記上突起部が設けられる弾性部材カバーと、
前記弾性部材カバーから前記弾性部材の側壁面に向けて張り出された側壁と、を有し、
前記弾性部材の側壁面のうち前記天井側の部位で前記側壁を保持することを特徴とする請求項１または請求項２記載の照明器具。
【請求項４】
前記弾性部材カバーは、前記弾性部材に対して箱状部材がずれることを防ぐために、前記弾性部材に対向する下面に前記弾性部材に突き刺し可能な下突起部が設けられたことを特徴とする請求項１〜３のいずれか１項記載の照明器具。
【発明の詳細な説明】
【技術分野】
【０００１】
本発明は、器具本体が天井に取り付けられ、器具本体の光源を覆うために天井に対して並行に回転することで器具本体にカバーが取り付けられた照明器具に関するものである。
【背景技術】
【０００２】
天井取付型の照明器具のなかには、天井に取り付けられる器具本体が備えられ、この器具本体に光源が設けられるとともに光源を覆うカバーが設けられ、器具本体のうち天井に対向する面に弾性部材としてスポンジパッキンが設けられたものが知られている。
器具本体にカバーを取り付ける際には、器具本体の取付位置にカバーを合わせ、カバーを天井に対して並行に回転させることでカバーを器具本体に係止する（例えば、特許文献１参照）。
【特許文献１】特開平１０−２７５５１６号公報
【０００３】
特許文献１の照明器具によれば、器具本体を取り付けた状態で弾性部材が天井に接触されている。よって、器具本体にカバーを取り付けるために、カバーを天井に対して並行に回転させた際に、カバーとともに器具本体が天井に対して共回りすることを防ぐことができる。
【発明の開示】
【発明が解決しようとする課題】
【０００４】
しかしながら、特許文献１の照明器具では、天井に内装材として塩ビ製の天井クロスが用いられている場合に、弾性部材（スポンジパッキン）の発泡剤として用いられたアミン触媒が天井クロスに移行して天井クロスを変色させてしまう虞がある。
【０００５】
天井クロスの変色を防ぐ対策として、弾性材料（スポンジパッキン）を用いない緩衝具を専用器具として用いることが考えられる。
しかし、弾性材料（スポンジパッキン）を用いない緩衝具を専用器具として用いる場合、構成が複雑になり、既存の照明器具に後付けで容易に取り付けることはできない。
【０００６】
本発明は、前述した要望を満たすためになされたもので、その目的は、簡単な構成とすることで既存の照明器具に後付けで容易に取り付けることが可能で、かつ、カバーを取り付ける際の器具本体の共回りを防ぐとともに天井クロスの変色を抑えることができる照明器具を提供することにある。
【課題を解決するための手段】
【０００７】
本発明の照明器具は、天井に取り付ける天井取付型の照明器具において、前記天井に取り付けられるとともに前記天井の反対側に光源が設けられた器具本体と、前記光源を覆うために前記天井に対して並行に回転することで前記器具本体に取り付けられたカバーと、前記器具本体の前記天井に対向する面のうち、前記器具本体の外周寄りの取付箇所に設けられた弾性変形可能な弾性手段と、前記弾性手段の上部に設けられ、前記天井に当接して前記器具本体の回転を防止する上突起部と備えたことを特徴とする。
【０００８】
器具本体の天井に対向する面のうち、器具本体の外周寄りの取付箇所に弾性手段を設けた。そして、この弾性手段の上部に上突起部を備え、上突起部を天井に当接させて器具本体の回転を防止するようにした。
この状態で、弾性手段を弾性変形させることで、上突起部を天井に比較的大きな押付力を作用させた状態で当接させることができる。
【０００９】
これにより、弾性手段の上部に上突起部を備えるだけの簡単な構成で、カバーを取り付ける際の器具本体の共回りを防ぐことができる。
加えて、弾性手段の上部に上突起部を備えるだけの簡単な構成とすることで、既存の照明器具に上突起部を後付けで容易に取り付けることができる。
【００１０】
さらに、上突起部を天井に当接させることで、スポンジパッキンなどの弾性手段を天井に直接接触させる必要がない。
これにより、例えば、弾性手段の発泡剤として用いられたアミン触媒が、塩ビ製の天井クロスに移行して天井クロスが変色することを防ぐことができる。
天井クロスは、天井に設けられた内装材である。
【００１１】
また、本発明は、前記上突起部は、前記天井に向けて先細状となるように円錐状に形成されたことを特徴とする。
【００１２】
上突起部の形状を、天井に向けて先細状となるように円錐状にした。
よって、上突起部のうち、天井に当接する部位を小さく抑えることができるので、上突起部を天井に当接させた状態において当接による面圧を高めることができる。
これにより、上突起部を天井に当接させることで器具本体の回転を一層良好に防止することができる。
【００１３】
さらに、本発明は、前記弾性手段は、前記取付箇所に設けられた弾性変形可能な弾性部材と、前記弾性部材の上部に設けられた箱状部材と、を備え、前記箱状部材は、前記弾性部材の上部に設けられるとともに、前記天井に対向する上面に前記上突起部が設けられる弾性部材カバーと、前記弾性部材カバーから前記弾性部材の側壁面に向けて張り出された側壁と、を有し、前記弾性部材の側壁面のうち前記天井側の部位で前記側壁を保持することを特徴とする。
【００１４】
弾性手段は、取付箇所に設けた弾性部材と、弾性部材の上部に設けた箱状部材とを備えている。そして、弾性部材の側壁面のうち天井側の部位で、箱状部材の弾性部材カバーから張り出した側壁を保持するようにした。
これにより、弾性部材の上部に箱状部材を保持することが可能になり、箱状部材の弾性部材カバーに設けた上突起部を弾性部材の上部に容易に保持することができる。
【００１５】
また、本発明は、前記弾性部材カバーは、前記弾性部材に対して箱状部材がずれることを防ぐために、前記弾性部材に対向する下面に前記弾性部材に突き刺し可能な下突起部が設けられたことを特徴とする。
【００１６】
弾性部材カバーの弾性部材に対向する下面に下突起部を設け、この下突起部を弾性部材に突き刺すことで、弾性部材に対して箱状部材がずれることを防ぐようにした。
これにより、器具本体にカバーを取り付けるためにカバーを回転させた際に、カバーの取付力で弾性部材に対して箱状部材（すなわち、上突起部）がずれることを確実に防ぐことができる。
【発明の効果】
【００１７】
本発明の照明器具によれば、器具本体の天井に対向する面に弾性手段を設け、弾性手段の上部に上突起部を備えることで、既存の照明器具に後付けで容易に取り付けることが可能で、かつ、カバーを取り付ける際の器具本体の共回りを防ぐとともに天井クロスの変色を抑えることができるという効果を有する。
【発明を実施するための最良の形態】
【００１８】
（第１実施形態）
以下、本発明の実施形態に係る照明器具について、図面を参照して説明する。
図１、図２に示すように、照明器具１０は、天井１２に取り付けられた器具本体１４と、器具本体１４に設けられた光源１６と、光源１６を覆う光源カバー（カバー）１８と、器具本体１４の天井１２に対向する面１５に設けられた弾性手段２０と、弾性手段２０の上部２１に設けられた複数の上突起部２２と備えた天井取付型の照明器具である。
【００１９】
器具本体１４は、天井１２に対向する面１５で、かつ、外周２５寄りの取付箇所２６近傍に環状リブ２８が外周２５と同軸上に設けられている。
光源１６は、器具本体１４のうち天井１２の反対側（すなわち、室２９内に対向する側）に設けられている。
光源カバー１８は、器具本体１４の取付位置に位置決めした状態で、天井１２に対して並行に（天井１２に沿って）回転することで器具本体１４の取付位置に取り付けられている。
【００２０】
弾性手段２０は、器具本体１４の天井１２に対向する面１５のうち器具本体１４の外周２５寄りの取付箇所２６（すなわち、環状リブ２８の外側）に所定間隔をおいて複数個設けられている。
図３、図４に示すように、弾性手段２０は、取付箇所２６に設けられた弾性部材３０と、弾性部材３０の上部３１に設けられた箱状部材３２とを備えている。
【００２１】
弾性部材３０は、環状リブ２８に沿うように僅かに湾曲状に形成された矩形体の部材であり、上部３１を有するとともに、側壁面３４として外側壁面３５、内側壁面３６、および一対の端側面３７を有している。
この弾性部材３０は、一例として、発泡剤（アミン触媒）で発泡された弾性変形可能な発泡材（スポンジパッキン）である。
【００２２】
箱状部材３２は、弾性部材３０と同様に、環状リブ２８に沿うように僅かに湾曲状に形成された部材である。
箱状部材３２は、弾性部材３０の上部３１に設けられた弾性部材カバー４０と、弾性部材カバー４０に設けられた側壁４２とを有している。
【００２３】
弾性部材カバー４０は、弾性部材３０の上部３１に設けられ、複数の上突起部２２が設けられる上面４４を有している。上面４４は天井１２（図１参照）に対向する面である。
側壁４２は、弾性部材カバー４０から弾性部材３０の側壁面３４（外側壁面３５、内側壁面３６、および一対の端側面３７）に向けて張り出されている。
【００２４】
具体的には、側壁４２は、側壁面３４の外側壁面３５に向けて張り出された外側壁４６と、側壁面３４の内側壁面３６に向けて張り出された内側壁４７と、側壁面３４の一対の端側面３７に向けて張り出された一対の端側壁４８とを有している。
【００２５】
側壁４２の外側壁４６は、外側壁面３５のうち天井１２側の部位３５Ａに接触することで保持されている。また、側壁４２の内側壁４７は、内側壁面３６のうち天井１２側の部位（図示せず）に接触することで保持されている。
さらに、側壁４２の一対の端側壁４８は、一対の端側面３７のうち天井１２側の部位３７Ａに接触することで保持されている。
【００２６】
よって、弾性部材３０の上部３１に箱状部材３２を保持することができる。これにより、箱状部材３２の弾性部材カバー４０に設けた複数の上突起部２２（後述する）を弾性部材３０の上部３１に容易に保持することができる。
【００２７】
上突起部２２は、弾性部材カバー４０の上面４４（弾性手段２０の上部２１）に設けられ、天井１２に当接して器具本体１４の回転を防止する部材である。
ここで、図５に示すように、器具本体１４が天井１２に取り付けられた状態で、弾性部材３０は圧縮した状態に弾性変形されている。
よって、複数の上突起部２２を天井１２に比較的大きな押付力を作用させた状態で当接させることができる。
【００２８】
これにより、弾性部材カバー４０の上面４４（弾性手段２０の上部２１）に複数の上突起部２２を備えるだけの簡単な構成で、図１に示す光源カバー１８を取り付ける際の器具本体１４の共回りを防ぐことができる。
加えて、弾性部材カバー４０の上面４４（弾性手段２０の上部２１）に複数の上突起部２２を備えるだけの簡単な構成とすることで、既存の照明器具に複数の上突起部２２を後付けで容易に取り付けることができる。
【００２９】
さらに、複数の上突起部２２を天井１２に当接させることで、スポンジパッキンなどの弾性部材３０を天井１２に直接接触させる必要がない。
よって、弾性部材３０の発泡剤として用いられたアミン触媒が、塩ビ製の天井１２のクロス（すなわち、天井クロス）１３に移行することを防ぐことができる。
これにより、弾性部材３０のアミン触媒が天井クロス１３まで移動することを防ぎ、弾性部材３０のアミン触媒で天井クロス１３が変色することを防ぐことができる。
天井クロス１３は、天井１２に設けられた内装材である。
【００３０】
ここで、図３〜図５に示すように、上突起部２２は、天井１２に向けて先細状となるように円錐状に形成されている。
よって、上突起部２２のうち、天井１２に当接する部位（すなわち、先端部）２２Ａを小さく抑えることができる。
【００３１】
これにより、複数の上突起部２２を天井１２に当接させた状態において当接による面圧を高めることができる。
したがって、複数の上突起部２２を天井１２に当接させることで、図１に示す光源カバー１８を取り付ける際に器具本体１４が供回りすることを一層良好に防ぐことができる。
【００３２】
（第２実施形態）
つぎに、第２実施形態について説明する。なお、第２実施形態において第１実施形態の照明器具１０と同一類似部材については同じ符号を付して説明を省略する。
図６に示すように、第２実施形態の照明器具５０は、第１照明器具１０の弾性部材カバー４０に複数の下突起部５２を設けたもので、その他の構成は際１実施形態の第１照明器具１０と同様である。
【００３３】
弾性部材カバー４０は、弾性部材３０の上部３１に対向する下面１７を有している。この下面１７に複数の下突起部５２が設けられている。
下突起部５２は、弾性部材３０の上部３１に向けて先細状に突出され、弾性部材３０の上部３１に突き刺し可能な部位である。
【００３４】
複数の下突起部５２を弾性部材３０の上部３１に突き刺すことで、弾性部材３０に対して箱状部材３２がずれることを防ぐことができる。
これにより、図１に示す器具本体１４に光源カバー１８を取り付けるために光源カバー１８を回転させた際に、光源カバー１８の取付力で弾性部材３０に対して箱状部材３２（すなわち、複数の下突起部５２）がずれることを確実に防ぐことができる。
【００３５】
加えて、第２実施形態の照明器具５０によれば、第１実施形態の照明器具１０と同様の効果を得ることができる。
【００３６】
なお、前記第１、第２の実施形態では、弾性部材３０の上部３１に箱状部材３２を設け、箱状部材３２の上面４４に複数の上突起部２２を設けた例について説明したが、これに限らないで、弾性部材３０の上部３１にカバープレートを接着剤などで設け、カバープレートの上面に複数の上突起部２２を設けることも可能である。
【００３７】
また、前記第１、第２の実施形態で示した器具本体１４、光源カバー１８、弾性手段２０、上突起部２２、弾性部材３０、箱状部材３２、弾性部材カバー４０、側壁４２および下突起部５２の形状は例示したものに限定するものではなく適宜変更が可能である。
【図面の簡単な説明】
【００３８】
【図１】本発明に係る照明器具の第１実施形態を示す側面図
【図２】本発明に係る照明器具の第１実施形態を示す平面図
【図３】本発明に係る第１実施形態の弾性手段および上突起部を示す斜視図
【図４】本発明に係る第１実施形態の弾性手段および上突起部を示す側面図
【図５】本発明に係る第１実施形態の弾性手段が弾性変形した状態を示す側面図
【図６】本発明に係る第２実施形態の弾性手段および上突起部を示す斜視図
【符号の説明】
【００３９】
１０，５０  照明器具
１２  天井
１４  器具本体
１５  天井１２に対向する面
１６  光源
１７  弾性部材に対向する下面
１８  光源カバー（カバー）
２０  弾性手段
２１  弾性手段の上部
２２  上突起部
２５  器具本体の外周
２６  器具本体の外周寄りの取付箇所
３０  弾性部材
３１  弾性部材の上部
３２  箱状部材
３４  弾性部材の側壁面
３５Ａ，３７Ａ  天井側の部位
４０  弾性部材カバー
４２  側壁
４４  天井に対向する上面
５２  下突起部
【図１】
2010097814.tif 000003
【図２】
2010097814.tif 000004
【図３】
2010097814.tif 000005
【図４】
2010097814.tif 000006
【図５】
2010097814.tif 000007
【図６】
2010097814.tif 000008